(57)【要約】【課題】  識別情報を、適切な記憶位置に、容易に記憶させることができる再生装置を提供する。【解決手段】  処理回路３００は、操作信号入力回路２１０から再生信号を含む操作信号が出力された後、所定の再生関連操作信号が出力されると、所定の再生関連操作信号が出力された時点に記憶手段（メモリカード２２０ａあるいは２５０ａ）から読み出されている音声データの記憶位置あるいは当該記憶位置に基づいて選択した選択記憶位置を識別記憶位置として設定する。また、処理回路３００は、操作信号入力回路２１０から巻戻し再生信号を含む操作信号あるいは早送り再生信号を含む操作信号が出力されると、記憶手段（メモリカード２２０ａあるいは２５０ａ）の識別記憶位置あるいは当該識別記憶位置に基づいて選択した選択識別記憶位置に記憶されている音声データを読み出すように、読出/書込回路２２０あるいは２５０を制御する。【選択図】    図２
2006208866.tif 000002
【特許請求の範囲】
【請求項１】
音声データを記憶する記憶手段と、前記記憶手段に記憶されている音声データを読み出す読出手段と、前記読出手段によって読み出された音声データに対応する音声信号を出力する音声信号出力手段と、前記読出手段による音声データの読み出しを示す再生信号を含む操作信号、停止を示す停止信号を含む操作信号、一時停止を示す一時停止信号を含む操作信号あるいは前記読出手段による音声データの読み出し位置の高速移動を示す高速移動信号を含む操作信号を出力する操作手段と、前記操作手段から出力される操作信号に基づいて前記読出手段の動作を制御する処理手段を備える再生装置であって、
前記処理手段は、前記操作手段から再生信号を含む操作信号が出力された後に所定の操作信号が出力された場合には、当該所定の操作信号が出力された時点で前記読出手段により読み出されている音声データが記憶されている前記記憶手段の記憶位置あるいは当該記憶位置に基づいて選択した選択記憶位置を識別記憶位置として設定する処理を実行し、また、前記操作手段から高速移動信号を含む操作信号が出力された場合に、識別記憶位置が設定されていれば、前記記憶手段の当該識別記憶位置に記憶されている音声データを前記読出手段が読み出すように前記読出手段の動作を制御する、
ことを特徴とする再生装置。
【請求項２】
音声データを記憶する記憶手段と、前記記憶手段に記憶されている音声データを読み出す読出手段と、前記読出手段によって読み出された音声データに対応する音声信号を出力する音声信号出力手段と、前記読出手段による音声データの読み出しを示す再生信号を含む操作信号、停止を示す停止信号を含む操作信号、一時停止を示す一時停止信号を含む操作信号あるいは前記読出手段による音声データの読み出し位置の高速移動を示す高速移動信号を含む操作信号を出力する操作手段と、前記操作手段から出力される操作信号に基づいて前記読出手段の動作を制御する処理手段を備える再生装置であって、
前記処理手段は、前記操作手段から再生信号を含む操作信号が出力された後に所定の操作信号が出力された場合には、当該所定の操作信号が出力された時点で前記読出手段により読み出されている音声データが記憶されている前記記憶手段の記憶位置を識別記憶位置として設定する処理を実行し、また、前記操作手段から高速移動信号を含む操作信号が出力された場合に、識別記憶位置が設定されていれば、前記記憶手段の当該識別記憶位置あるいは当該識別記憶位置に基づいて選択した選択識別記憶位置に記憶されている音声データを前記読出手段が読み出すように前記読出手段の動作を制御する、
ことを特徴とする再生装置。
【請求項３】
請求項1または２に記載の再生装置であって、
前記処理手段は、前記操作手段から再生信号を含む操作信号が出力された後に一時停止信号を含む操作信号が出力された場合に、前記識別記憶位置を設定する処理を実行する、
ことを特徴とする再生装置。
【請求項４】
請求項1または２に記載の再生装置であって、
前記処理手段は、前記操作手段から再生信号を含む操作信号が出力された後に予め定められている複数の操作信号の組み合わせが出力された場合に、前記識別記憶位置を設定する処理を実行する、
ことを特徴とする再生装置。
【請求項５】
請求項１〜４のいずれかに記載の再生装置であって、
前記操作手段は、前記読出手段による音声データの読み出し位置の高速移動を示す第１の高速移動信号を含む操作信号と、前記読出手段による音声データの読み出し位置の高速移動及び前記読出手段による音声データの再生を示す第２の高速移動信号を含む操作信号を出力し、
前記処理手段は、前記操作手段から第２の高速移動信号を含む操作信号が出力された場合に、識別記憶位置が設定されていれば、前記記憶手段の前記識別記憶位置あるいは前記選択識別記憶位置に記憶されている音声データを前記読出手段が読み出すように前記読出手段の動作を制御する、
ことを特徴とする再生装置。
【請求項６】
請求項1、３〜５のいずれかに記載の再生装置であって、
前記処理手段は、前記所定の操作信号が出力された時点から設定読出時間だけ離れている時点で前記読出手段により読み出される音声データが記憶されている前記記憶手段の記憶位置を前記選択記憶位置として選択する、
ことを特徴とする再生装置。
【請求項７】
請求項1、３〜５のいずれかに記載の再生装置であって、
前記処理手段は、前記所定の操作信号が出力された時点から最も短い読出時間で読み出される無音データが記憶されている前記記憶手段の記憶位置を前記選択記憶位置として選択する、
ことを特徴とする再生装置。
【請求項８】
請求項２〜５のいずれかに記載の再生装置であって、
前記処理手段は、前記記憶手段の識別記憶位置に記憶されている音声データが前記読出手段により読み出される時点から設定読出時間だけ離れている時点で前記読出手段により読み出される音声データが記憶されている前記記憶手段の記憶位置を前記選択識別記憶位置として選択する、
ことを特徴とする再生装置。
【請求項９】
請求項２〜５のいずれかに記載の再生装置であって、
前記処理手段は、前記記憶手段の識別記憶位置に記憶されている音声データが前記読出手段により読み出される時点から最も短い読出時間で読み出される無音データが記憶されている前記記憶手段の記憶位置を前記選択識別記憶位置して選択する、
ことを特徴とする再生装置。
【発明の詳細な説明】
【技術分野】
【０００１】
本発明は、記憶手段に記憶されているデータを再生する再生装置に関する。特に、データの一部を繰り返し再生する場合に好適に用いることができる再生装置に関する。
【背景技術】
【０００２】
外国語の学習や歌の練習等を行う場合には、再生装置が用いられることが多い。例えば、ラジオやテレビで放送される外国語番組の放送内容を記憶手段に記憶し、あるいは、単語や文章等が記憶されている外国語学習専用の記憶手段を購入し、この記憶手段に記憶されているデータをスピーカ等の音声再生手段を用いて音声で再生する。記憶手段としては、メモリカード、ＭＤ、ＣＤ、ハードディスク等の種々の記憶手段（記憶媒体）が用いられる。再生装置には、再生ボタン、停止ボタン、一時停止ボタン、早送りボタン、巻戻しボタン等の操作部が設けられている。
記憶手段に記憶されているデータを音声再生手段等の再生手段を用いて音声信号等に再生することによって外国語の学習や歌の練習を行う場合、データの一部（例えば、単語、文章の一部や全体、曲の一部や全体）の繰り返し再生が頻繁に行われる。
このようなデータの一部の繰り返し再生を行う場合、巻戻しボタンによる巻戻し操作と再生ボタンによる再生操作によって再生位置を設定する方法を用いると、再生位置を適切に設定するのが困難であり、時間も要する。
そこで、繰り返し再生を行うデータの開始部分が記憶されている記憶位置を識別記憶位置として設定し、巻き戻しボタンを操作することによって、識別開始位置まで巻き戻して再生を行う技術が提案されている。（特許文献１参照）
【特許文献１】特開２００２−２５１１３１号公報
【発明の開示】
【発明が解決しようとする課題】
【０００３】
識別情報が記憶されたデータを入手する方法としては、データと識別情報が予め記憶されている記憶手段を入手する方法、あるいは、データが記憶されている記憶手段に識別情報を記憶させる方法を用いることができる。
しかしながら、データと識別情報が予め記憶されている記憶手段は、利用者にとって必要でない箇所にも識別情報が付与されていることがある。このため、利用者にとって使い勝手が良い記憶手段を入手するのが困難である。また、このような記憶手段は高価である。
一方、データが記憶されている記憶手段に利用者が識別位置を設定する場合には、利用者は、所望の記憶位置を識別位置として設定することができる。しかしながら、データが記憶されている記憶手段の所定の記憶位置を識別記憶位置として設定するには、再生に関連する再生関連操作（再生操作、停止操作、一時停止操作、早送り操作、巻戻し操作）とは別の特定の操作が必要である（例えば、再生中に識別情報ボタンを操作する必要がある）。このため、利用者は、どの記憶位置を識別記憶位置として設定するか等を意識しながら、再生信号を確認する必要があり、再生信号の確認に集中することができない。
本発明は、このような点に鑑みて創案されたものであり、適切な記憶位置を、容易に識別記憶位置として設定することができる再生装置を提供することを目的とする。
【課題を解決するための手段】
【０００４】
（第１発明）
前記課題を解決するための本発明の第１発明は、請求項１に記載されたとおりの再生装置である。
本発明の再生装置は、音声データを記憶する記憶手段と、記憶手段から音声データを読み出す読出手段と、音声データに対応する音声信号を出力する音声信号出力手段と、再生信号を含む操作信号、停止信号を含む操作信号、一時停止信号を含む操作信号あるいは高速移動信号を含む操作信号を出力する操作手段と、操作信号に基づいて読出手段の動作を制御する処理手段を備えている。
処理手段は、操作手段から再生信号を含む操作信号が出力された後に所定の操作信号が出力されると、所定の操作信号が出力された時点で読出手段により読み出されている記憶手段の記憶位置あるいは当該記憶位置に基づいて選択した選択記憶位置を識別記憶位置として設定する処理を実行する。また、処理手段は、操作手段から高速移動信号を含む操作信号が出力されると、識別記憶位置が設定されていれば、記憶手段の識別記憶位置に記憶されている音声データを読出手段が読み出すように制御する。
記憶手段としては、例えば、メモリカード、ＭＤ、ＣＤ等の可搬式の記憶手段や、再生装置に取り付けられたハードディスク等の固定式の記憶手段を用いることができる。可搬式の記憶手段を用いる場合には、再生装置に、可搬式の記憶手段を着脱可能な挿入部を設ける。また、記憶手段としては、可搬式の記憶手段と固定式の記憶手段の一方のみを用いてもよいし、両方を用いてもよい。なお、読出手段としては、記憶手段に対応した読出手段が用いられる。
記憶手段には、少なくとも音声データが記憶されていればよく、画像データ等が記憶されていてもよい。音声データ以外のデータも記憶されている場合には、当該データに対応する読出手段、再生手段（例えば、画像データ読出手段、画像信号再生手段）が設けられる。音声データには、無音データも含まれる。
操作手段は、再生時に通常使用される再生信号を含む操作信号、停止信号を含む操作信号、一時停止信号を含む操作信号、高速移動信号を含む操作信号等の操作信号を出力可能であればよく、他の信号を出力可能に構成されていてもよい。高速移動信号を含む操作信号が出力されると、再生信号を含む操作信号の出力時における読み出し位置の移動速度より早い移動速度で読み出し位置が移動される。高速移動信号を含む操作信号としては、再生方向の高速移動信号を含む操作信号（通常、早送り信号と呼ばれる）と反再生方向の高速移動信号を含む操作信号（通常、巻き戻し信号と呼ばれる）が用いられる。また、操作手段は、各操作信号をそれぞれ出力する操作部（例えば、操作ボタン）により構成してもよいし、複数の操作信号を出力する操作部により構成してもよい。
処理手段は、読出手段以外の他の手段を制御するよう構成してもよい。
所定の操作信号としては、再生時において通常出力される操作信号（再生関連操作信号）、例えば、再生信号を含む操作信号、停止信号を含む操作信号、一時停止信号を含む操作信号、高速移動信号を含む操作信号が用いられる。また、所定の操作信号には、１つの操作信号だけでなく複数の操作信号の組み合わせも含まれる。
「操作手段から再生信号を含む操作信号が出力されてから所定の操作信号が出力された場合」は、操作手段から再生信号を含む操作信号が出力されてから停止信号を含む操作信号が出力されるまでの間に、操作手段から所定の操作信号が出力された場合を意味する。なお、停止信号を含む操作信号も所定の操作信号に含まれる。また、再生信号を含む操作信号が出力されてから所定の操作信号が出力されるまでの時間間隔は問わない。
所定の操作信号が出力された時点で読出手段により読み出されている音声データの記憶位置に基づいて選択記憶位置を選択する方法としては、種々の方法を用いることができる。例えば、所定の操作信号が出力された時点から設定読出時間だけ離れた時点で読み出される音声データが記憶されている記憶位置を選択する方法を用いることができる。あるいは、所定の操作信号が出力された時点から最も短い読出時間間隔で読み出される無音データが記憶されている記憶位置を選択する方法を用いることができる。あるいは、記憶手段に予め既設識別情報が記憶されている場合には、所定の操作信号が出力された時点から最も短い読出時間間隔で読み出される既設識別情報が記憶されている記憶位置を選択する方法を用いることができる。
「記憶位置あるいは選択記憶位置を識別記憶位置として設定する」という記載は、記憶位置あるいは選択記憶位置が識別記憶位置であることを判別可能な設定情報を記憶手段に記憶することを意味する。この場合、設定情報を記憶する記憶手段は、音声データが記憶されている記憶手段であってもよいし、他の記憶手段であってもよい。記憶手段に設定情報を記憶する場合には、例えば、書込手段を用いて、記憶手段の記憶位置あるいは選択記憶位置に識別情報を記憶する方法が用いられる。この場合、識別情報は、音声データの再生の妨げにならないように、すなわち、識別情報が音声再生手段から出力されないように、形式や位置等を選択する。
「記憶手段の識別記憶位置に記憶されている音声データを読出手段が読み出すように読出手段を制御する」という記載は、典型的には、「読出手段の読み出し位置が、高速移動信号が出力された時点で読み出している記憶位置から識別記憶位置に変更されるように読出手段を制御する」という構成を意味している。
（第２発明）
本発明の第２発明は、請求項２に記載されたとおりの再生装置である。
本発明の再生装置は、音声データを記憶する記憶手段と、記憶手段から音声データを読み出す読出手段と、音声データに対応する音声信号を出力する音声信号出力手段と、再生信号を含む操作信号、停止信号を含む操作信号、一時停止信号を含む操作信号あるいは高速移動信号を含む操作信号を出力する操作手段と、操作信号に基づいて読出手段の動作を制御する処理手段を備えている。
処理手段は、操作手段から再生信号を含む操作信号が出力された後に所定の操作信号が出力されると、所定の操作信号が出力された時点で読出手段により読み出されている音声データが記憶されている記憶手段の記憶位置を識別記憶位置として設定する処理を実行する。また、処理手段は、操作手段から高速移動信号を含む操作信号が出力されると、識別記憶位置が設定されていれば、記憶手段の識別記憶位置あるいは識別記憶位置に基づいて選択した選択識別記憶位置に記憶されている音声データを読出手段が読み出すように読出手段の動作を制御する。
記憶手段、操作手段としては、第１発明と同様の記憶手段、操作手段を用いることができる。音声データには、無音データも含まれる。
所定の操作信号としては、再生時において通常出力される操作信号、例えば、再生信号を含む操作信号、停止信号を含む操作信号、一時停止信号を含む操作信号、高速移動信号を含む操作信号が用いられる。また、所定の操作信号には、１つの操作信号だけでなく複数の操作信号の組み合わせも含まれる。
「操作手段から再生信号を含む操作信号が出力されてから所定の操作信号が出力された場合」は、操作手段から再生信号を含む操作信号が出力されてから停止信号を含む操作信号が出力されるまでの間に、操作手段から所定の操作信号が出力された場合を意味する。なお、停止操作信号を含む操作信号も所定の操作信号に含まれる。また、再生信号を含む操作信号が出力されてから所定の操作信号が出力されるまでの時間間隔は問わない。
「記憶位置を識別記憶位置として設定する」構成については、第1発明と同様である。
識別記憶位置に基づいて選択識別記憶位置を選択する方法としては、種々の方法を用いることができる。例えば、識別記憶位置に記憶されている音声データが読み出される時点から設定読出時間だけ離れて読み出される音声データが記憶されている記憶位置を選択する方法を用いることができる。あるいは、識別記憶位置に記憶されている音声データが読み出される時点から最も短い読出時間間隔で読み出される無音データが記憶されている記憶位置を選択する方法を用いることができる。あるいは、記憶手段に予め既設識別情報が記憶されている場合には、識別記憶位置に記憶されている音声データが読み出される時点から最も短い読出時間間隔で読み出される既設識別情報が記憶されている記憶位置を選択する方法を用いることができる。
「記憶手段の識別記憶位置あるいは選択識別記憶位置に記憶されている音声データを読出手段が読み出すように読出手段を制御する」という記載は、典型的には、「読出手段の読み出し位置が、高速移動信号が出力された時点で読み出している記憶位置から識別記憶位置あるいは選択記憶識別位置に変更されるように読出手段を制御する」という構成を意味している。
（第３発明）
本発明の第３発明は、請求項３に記載されたとおりの再生装置である。
本発明では、処理手段は、操作手段から再生信号を含む操作信号が出力された後に一時停止信号を含む操作信号が出力されると識別記憶位置を設定する処理を実行する。
（第４発明）
本発明の第４発明は、請求項４に記載されたとおりの再生装置である。
本発明では、処理手段は、操作手段から再生信号が出力された後に予め定められている複数の操作信号の組み合わせが出力されると識別記憶位置を設定する処理を実行する。
ここで、識別位置を設定する条件として用いる「予め定められている操作信号の組み合わせ」は、再生時に通常用いられる、再生信号を含む操作信号、停止信号を含む操作信号、一時停止信号を含む操作信号、高速移動信号を含む操作信号等の再生関連信号の組み合わせを用いるのが好ましい。操作信号を組み合わせる数は、適宜選択可能であるが、２つの操作信号を組み合わせるのが好ましい。例えば、再生信号が出力された後、一時停止信号及び反再生方向の高速移動信号（巻き戻し信号）が出力されたことを識別記憶位置を設定する条件として用いる。
（第５発明）
本発明の第５発明は、請求項５に記載されたとおりの再生装置である。
本発明では、操作手段は、読み出し位置の高速移動を示す第１の高速移動信号を含む操作信号と、読み出し位置の高速移動及び音声データの再生を示す第２の高速移動信号を含む操作信号を出力する。
そして、処理手段は、操作手段から第２の高速移動信号を含む操作信号が出力されると、識別記憶位置が設定されていれば、記憶手段の識別記憶位置あるいは選択識別記憶位置に記憶されている音声データを読出手段が読み出すように読出手段の動作を制御する。
第１の高速移動信号は、読出位置の高速移動のみを指示する信号であり、第２の高速移動信号は、読出位置の高速移動と再生を指示する信号である。
（第６発明）
本発明の第６発明は、請求項６に記載されたとおりの再生装置である。
本発明では、処理手段は、所定の操作信号が出力された時点から設定読出時間だけ離れている時点で読み出される音声データが記憶されている記憶手段の記憶位置を選択記憶位置として選択する。
読出時間は、操作手段から再生信号を含む操作信号が出力された時に、読出手段が記憶手段に記憶されているデータを読み出す速度を意味している。
所定の操作信号が出力された時点から設定読出時間だけ離れている時点で読み出される音声データが記憶されている記憶手段の記憶位置、すなわち、所定の操作信号が出力された時点で読み出されている音声データの記憶位置から設定読出時間だけ離れている記憶位置は、所定の操作信号が出力された時点で読み出されている音声データの記憶位置から再生方向（早送り方向）及び反再生方向（巻き戻し方向）の一方向あるいは両方向に設定することができるが、反再生方向に設定するのが好ましい。
（第７発明）
本発明の第７発明は、請求項７に記載されたとおりの再生装置である。
本発明では、処理手段は、所定の操作信号が出力された時点から最も短い読出時間間隔で読み出される無音データが記憶されている記憶手段の記憶位置を選択記憶位置として選択する。
所定の操作信号が出力された時点から最も短い読出時間間隔で読み出される無音データが記憶されている記憶手段の記憶位置、すなわち、所定の操作信号が出力された時点で読み出されている音声データの記憶位置から最も短い読出時間だけ離れている無音データの記憶位置は、所定の操作信号が出力された時点で読み出されている音声データの記憶位置から再生方向及び反再生方向の一方向あるいは両方向に設定することができるが、反再生方向に設定するのが好ましい。
選択記憶位置として記憶する記憶位置は、無音データが記憶されている記憶位置の範囲内であればよいが、次の音声データの読出時間を短縮するためには、再生方向側の後方位置を用いるのが好ましい。
（第８発明）
本発明の第８発明は、請求項８に記載されたとおりの再生装置である。
本発明では、処理手段は、識別記憶位置に記憶されている音声データが読み出される時点から設定読出時間間隔だけ離れている時点で読み出される音声データが記憶されている記憶手段の記憶位置を選択識別記憶位置として選択する。
識別記憶位置に記憶されている音声データが読み出される時点から設定読出時間間隔だけ離れている時点で読み出される音声データが記憶されている記憶手段の記憶位置、すなわち、識別記憶位置から設定読出時間だけ離れている記憶位置は、識別記憶位置から再生方向及び反再生方向の一方向あるいは両方向に設定することができる。
（第９発明）
本発明の第９発明は、請求項９に記載されたとおりの再生装置である。
本発明では、処理手段は、識別記憶位置に記憶されている音声データが読み出される時点から最も短い読出時間間隔で読み出される無音データが記憶されている記憶手段の記憶位置を選択識別記憶位置して選択する。
識別記憶位置に記憶されている音声データが読み出される時点から最も短い読出時間間隔だけ離れている時点で読み出される音声データが記憶されている記憶手段の記憶位置、すなわち、識別記憶位置から最も短い読出時間だけ離れている無音データの記憶位置は、識別記憶位置から再生方向及び反再生方向の一方向あるいは両方向に設定することができる。
選択記憶位置として選択する記憶位置は、無音データが記憶されている記憶位置の範囲内であればよいが、次の音声データの読出時間を短縮するためには、再生方向側の後方位置を用いるのが好ましい。
【発明の効果】
【０００５】
請求項１に記載の再生装置では、再生時に所定の再生関連操作（再生時に実行される再生操作、停止操作、一時停止操作あるいは高速移動操作）の１つあるいは所定の組み合わせが実行された場合に識別記憶位置が設定される。すなわち、利用者が再生に関連する所定の操作を行った場合に、識別記憶位置が設定される。このため、利用者は、どの記憶位置を識別記憶位置として設定するか等を意識しながら再生信号を確認する必要がなくなり、再生信号の確認に集中することができる。
なお、音声データの再生によって外国語の学習や歌の練習等を行う場合には、繰り返し再生が必要な箇所で一時停止操作、巻戻し再生操作、再生操作等の再生関連操作が行われることが多いため、本発明を用いて識別記憶位置を設定することにより、利用者が繰り返し再生を希望する記憶位置を識別記憶位置として設定することができる。
請求項２に記載の再生装置を用いれば、請求項１に記載の発明と同様の効果を有する。
請求項３に記載の再生装置では、再生時に一時停止操作が行われた場合に識別記憶位置が設定される。ここで、音声データの再生によって外国語の学習等を行う場合には、単語が発音された後に一時停止操作を行って発音練習を行って、再生操作（一時停止の解除）を行うことが多い。このため、本発明を用いることにより、適切な記憶位置を識別記憶位置として設定することができる。
請求項４に記載の再生装置では、再生時に、予め定められている複数の再生関連操作の組み合わせが行われた場合に識別記憶位置が設定される。このため、より確実に識別記憶位置を設定することができる。
請求項５に記載の再生装置を用いれば、巻き戻しや早送りの実行を指示する操作と、巻戻しや早送りの実行及び識別記憶位置あるいは選択識別記憶位置からの再生を指示する操作を容易に区別することができる。
請求項６に記載の再生装置では、所定の再生関連操作が行われた時点から設定読出持間離れている音声データが記憶されている記憶位置を識別記憶位置として設定している。音声データの再生によって外国語の学習や歌の練習等を行う場合には、単語等が再生された後一時停止操作を行って発音練習を行ったり、巻戻し操作を行って単語等を繰り返し再生させることが多い。このため、本発明において、設定読出時間を適切に設定することにより、所定の操作が行われ時点の直前に読み出された音声データが記憶されている記憶位置を識別記憶位置として設定することができる。
請求項７に記載の再生装置では、所定の再生操作が行われた時点に直近の無音データが記憶されている記憶位置を識別記憶位置として設定している。通常、単語や文章の間には無音データ我記憶されることが多い。このため、本発明を用いることにより、繰り返し再生時に、単語や文章の初めから再生することができる。
請求項８に記載の再生装置を用いれば、請求項６に記載の再生装置と同様の効果を有する。
請求項９に記載の再生装置を用いれば、請求項７に記載の再生装置と同様の効果を有する。
【発明を実施するための最良の形態】
【０００６】
以下に、本発明の実施の形態を、図面を参照して説明する。
図１は、本発明を、音声データを記憶手段に記憶しあるいは記憶手段に記憶されている音声データを音声で再生する録音再生装置として構成した実施の形態の概略図である。
図１に示す携帯可能な録音再生装置１００の正面、底面、右側面、左側面が示されている。
録音再生装置１００の正面側には、表示装置１１０、操作部、スピーカ１３０、マイク１４０が設けられている。
図１では、操作部として、再生ボタン１２１、停止ボタン１２２、一時停止ボタン１２３、早送りボタン１２４、巻戻しボタン１２５、早送り再生ボタン１２６、巻戻し再生ボタン１２７、録音ボタン１２８等が示されている。
録音再生装置１００の左側面には、イヤホン端子１５０、メモリカード挿入口１６０が設けられている。右側面には、ボリュームスイッチ１２９が設けられている。また、底面には、パソコン等と接続するためのＵＳＢ端子１７０が設けられている。
なお、録音再生装置１００は、図1に示されている構成要素以外の種々の構成要素を有している。
【０００７】
図１に示した録音再生装置１００の電気回路の概略ブロック図を図２に示す。
本実施の形態の録音再生装置１００は、録音再生装置全体の動作を制御する処理回路（ＣＰＵ）３００を主体に構成されている。
各操作部から出力される操作信号は、操作信号入力回路２１０を介して入力される。操作信号としては、例えば、再生ボタン１２１の操作によって出力される再生信号を含む操作信号、停止ボタン１２２の操作によって出力される停止信号を含む操作信号、一時停止ボタン１２３の操作によって出力される一時停止信号を含む操作信号、早送りボタン１２４の操作によって出力される早送り信号（再生方向高速移動信号）を含む操作信号、巻戻しボタン１２５の操作によって出力される巻戻し信号（反再生方向高速移動信号）、早送り再生ボタン１２６の操作によって出力される早送り再生信号（再生方向高速移動再生信号）を含む操作信号、巻戻し再生ボタン１２７の操作によって出力される巻戻し再生信号（反再生方向高速移動再生信号）を含む操作信号、録音ボタン１２８の操作によって出力される録音信号を含む操作信号、ボリュームスイッチ１２９の操作によって出力されるボリュームアップ信号あるいはボリュームダウン信号を含む操作信号等が用いられる。なお、図１に示していないが、他にも種々の操作ボタンが設けられており、各操作ボタンからの操作信号が操作信号入力回路２１０を介して入力される。
読出／書込回路２２０は、メモリカード挿入口１６０に挿入されたメモリカード２２０ａに書き込まれているデータ（例えば、音声データや識別情報）を読み出し、あるいはメモリカード２２０にデータ（例えば、音声データや識別情報）を書き込む。なお、可搬式の記憶手段（記憶媒体）としては、メモリカード２２０ａ以外の種々の記憶媒体を用いることができる。
受信回路２３０は、ラジオ放送やテレビ放送等の放送信号を受信する。
マイク１４０は、音声信号を入力する。
読出／書込回路２５０は、録音再生装置１００に内蔵されている記憶回路２５０ａ（ＲＯＭやＲＡＭ）に記憶されているデータ（例えば、音声データや識別情報）やプログラムを読み出し、あるいは記憶回路２５０ａにデータ（例えば、音声データや識別情報）を書き込む。
スピーカ１３０は、音声データに対応する音声信号を出力する。
表示装置１１０は、種々の情報（例えば、メニュー画面情報、テレビ放送を受信可能である場合にはテレビ放送の画像情報）を表示する。
各回路は、バス２００に接続されている。そして、処理回路３００は、操作信号入力回路２１０から入力される操作信号に基づいて種々の制御を行う。例えば、読出／書込回路２２０あるいは２５０を制御して、受信回路２３０で受信した放送信号やマイク１４０から入力された音声信号、識別情報等をメモリカード２２０ａや記憶回路２５０ａに書き込み、あるいは、メモリカード２２０ａや記憶回路２５０ａに記憶されている音声データや識別情報を読み出す。また、音声データに対応する音声信号がスピーカ１３０から出力されるように制御する。
【０００８】
なお、録音再生装置１００には、図２に示した回路以外にも、音声信号の再生処理、音声信号の録音処理、放送信号の受信処理等に必要な種々の回路が設けられている。例えば、Ａ／Ｄ変換回路やＤ／Ａ変換回路、圧縮回路や伸張回路等の信号変換回路、信号の入出力を行う入出力インターフェース回路等が設けられる。
また、再生時に、メモリカード２２０ａあるいは記憶回路２５０ａのいずれに記憶されている音声データを読み出すか、また、録音時に、メモリカード２２０ａあるいは記憶回路２５０ａのいずれに書き込むかを選択可能に構成されている。選択方法としては、選択ボタンを操作することによって選択する方法や、表示装置１１０に表示されている選択部を選択する方法等を用いることができる。
また、読出／書込回路２２０や２５０としては、メモリカード２２０ａや記憶回路２５０ａを駆動する駆動回路と読出／書込部（ヘッド）を駆動する駆動回路を備える構造のものや、いずれか一方の駆動回路のみを有する構造のものを用いることができる。この場合、メモリカード２２０ａや記憶回路２５０ａに記憶されているデータを読み出す際あるいはデータを書き込む際における読出位置や書込位置を移動させる制御方法としては、読出／書込回路の構造に応じた制御方法が用いられる。
また、音声データには、有音の音声信号に対応する音声データだけでなく、無音の音声信号に対応する音声データも含まれる。
【０００９】
本実施の形態では、メモリカード２２０ａあるいは記憶回路２５０ａが本発明の「記憶手段」に対応し、読出／書込回路２２０あるいは２５０が本発明の「読出手段」に対応し、スピーカ１３０が本発明の「音声信号出力手段」に対応し、再生ボタン１２１、停止ボタン１２２、一時停止ボタン１２３、早送りボタン１２４、巻き戻しボタン１２５、早送り再生ボタン１２６、巻き戻し再生ボタン１２７等が本発明の「操作部」に対応し、処理回路３００が本発明の「処理手段」に対応する。
また、再生ボタン１２１、停止ボタン１２２、一時停止ボタン１２３、早送りボタン１２４、巻き戻しボタン１２５が本発明の「再生関連信号を含む再生関連操作信号を出力する再生関連操作部」に対応し、早送りボタン１２４、巻き戻しボタン１２５が本発明の「高速移動信号」を含む操作信号あるいは「第１の高速移動信号」を含む操作信号に対応し、早送り再生ボタン１２６、巻き戻し再生ボタン１２７が本発明の「高速移動信号」を含む操作信号あるいは「第２の高速移動信号」に対応する。
【００１０】
次に、本実施の形態の録音再生装置１００の再生時の動作を説明する。
ここで、本発明は、再生時、すなわち、再生操作が行われてから（再生ボタン１２１が操作されて再生信号を含む操作信号が入力されてから）停止操作が行われる（停止ボタン１２２が操作されて停止信号を含む操作信号が入力される）までの間に、再生に関連する操作（再生関連操作）のうち所定の再生関連操作が行われた場合に、識別記憶位置を設定するように構成されている。
また、巻き戻し再生操作が行われた場合（巻き戻し再生ボタン１２７が操作されて巻き戻し再生信号を含む操作信号が入力された場合）あるいは早送り再生操作が行われた場合（早送り再生操作ボタン１２６が操作されて早送り再生信号を含む操作信号が入力された場合）に、記憶手段（メモリカード２２０ａあるいは記憶回路２５０ａ）の、識別記憶位置に基づく記憶位置に記憶されている音声データの再生を開始するように構成されている。
再生に関連する再生関連操作としては、典型的には、再生操作（再生信号を含む操作信号の入力）、一時停止操作（一時停止信号を含む操作信号の入力）、停止操作（停止信号を含む操作信号の入力）、早送り操作（早送り信号を含む操作信号の入力）、巻き戻し操作（巻き戻し信号を含む操作信号の入力）が該当する。また、「所定の再生関連操作が行われた時」、すなわち、識別記憶位置の設定を行う条件として、再生関連操作のいずれか１つあるいは複数の組み合わせを用いている。
【００１１】
本実施の形態の録音再生装置１００の再生時の動作の一実施の形態を、図３に示すフローチャート図により説明する。なお、録音時の動作は、従来の録音再生装置の動作と同様であるため説明を省略する。
本実施の形態では、所定の再生関連操作（識別記憶位置の設定を行う条件）として一時停止操作（一時停止ボタン１２３が操作されて一時停止信号を含む操作信号が入力されたこと）を用いている。
なお、以下では、読出／書込回路２２０によりメモリカード２２０ａに記憶されている音声データを読み出し、スピーカ１３０から音声信号で出力する場合について説明する。読み出し／書込回路２５０により記憶回路２５０ａに記憶されている音声データを読み出し、スピーカ１３０から音声信号で出力する場合も同様である。
【００１２】
図３に示す処理は、適宜の時期に開始される。
ステップＳ１では、再生信号を含む操作信号が入力されたか否か（再生操作ボタン１２１が操作されたか否か）を判断する。再生信号を含む操作信号が入力された場合にはステップＳ２に進み、再生信号を含む操作信号が入力されていない場合にはステップＳ４に進む。
ステップＳ２では、再生処理を実行する。すなわち、処理回路３００は、読出／書込回路２２０が、メモリカード２２０ａに記憶されている音声データを読出速度で読み出し、読み出された音声データがスピーカ１３０から音声信号で出力されるように制御する。
ステップＳ３では、再生信号を含む操作信号以外の操作信号が入力されたか否かを判断する。再生信号を含む操作信号以外の操作信号が入力されていない場合にはステップＳ２に戻り、再生信号を含む操作信号以外の操作信号が入力された場合にはステップＳ４に進む。
【００１３】
ステップＳ４では、一時停止信号を含む操作信号が入力されたか否か（一時停止ボタン１２３が操作されたか否か）を判断する。一時停止信号を含む操作信号が入力された場合にはステップＳ５に進み、一時停止信号を含む操作信号が入力されていない場合にはステップＳ８に進む。
ステップＳ５では、一時停止信号を含む操作信号が入力された時点（一時停止操作ボタン１２３から一時停止信号を含む操作信号が出力された時点とほぼ同じ）で読出／書込回路２２０によって読み出されている音声データが記憶されているメモリカード２２０ａの記憶位置あるいは当該記憶位置に基づいて選択した選択記憶位置を識別記憶位置として設定する。選択記憶位置の選択方法については後述する。
本実施の形態では、識別記憶位置を設定する方法として、読出／書込回路２２０により、メモリカード２２０ａの識別記憶位置に識別情報を書き込む方法を用いている。勿論、識別記憶位置を設定する方法は、この方法に限定されない。例えば、メモリカード２２０ａや記憶回路２５０ａに、識別記憶位置を書き込む方法を用いることができる。
ステップＳ６では、一時停止処理を実行する。すなわち、処理回路３００は、読出／書込回路２２０が、メモリカード２２０ａに記憶されている音声データの読み出しを一時停止するように制御する。
ステップＳ７では、一時停止信号を含む操作信号以外の操作信号が入力されたか否かを判断する。一時停止信号を含む操作信号以外の操作信号が入力されていない場合にはステップＳ６に戻り、一時停止信号を含む操作信号以外の操作信号が入力された場合にはステップＳ８に進む。
【００１４】
ステップＳ８では、早送り信号を含む操作信号が入力されたか否か（早送りボタン１２４が操作されたか否か）を判断する。早送り信号を含む操作信号が入力された場合にはステップＳ９に進み、早送り信号を含む操作信号が入力されていない場合にはステップＳ１１に進む。
ステップＳ９では、早送り処理を実行する。すなわち、処理回路３００は、読出／書込回路２２０が、メモリカード２２０ａから音声データを読み出す記憶位置を、再生方向に、再生動作時の移動速度より速い高速移動速度で移動するように制御する。
ステップＳ１０では、早送り信号を含む操作信号以外の操作信号が入力されたか否かを判断する。早送り信号を含む操作信号以外の操作信号が入力されていない場合にはステップＳ９に戻り、早送り信号を含む操作信号以外の操作信号が入力された場合にはステップＳ１１に進む。
【００１５】
ステップＳ１１では、巻き戻し信号を含む操作信号が入力されたか否か（巻き戻しボタン１２５が操作されたか否か）を判断する。巻き戻し信号を含む操作信号が入力された場合にはステップＳ１２に進み、巻き戻し信号を含む操作信号が入力されていない場合にはステップＳ１４に進む。
ステップＳ１２では、巻き戻し処理を実行する。すなわち、処理回路３００は、読出／書込回路２２０が、メモリカード２２０ａから音声データを読み出す記憶位置を、反再生方向に、再生動作時の移動速度より速い高速移動速度で移動するように制御する。
ステップＳ１３では、巻き戻し信号以外の操作信号が入力されたか否かを判断する。巻き戻し信号を含む操作信号以外の操作信号が入力されていない場合にはステップＳ１２に戻り、巻き戻し信号を含む操作信号以外の操作信号が入力された場合にはステップＳ１４に進む。
【００１６】
ステップＳ１４では、巻き戻し再生信号を含む操作信号あるいは早送り再生信号を含む操作信号が入力されたか否か（巻き戻し再生ボタン１２７あるいは早送り再生ボタン１２６が操作されたか否か）を判断する。巻き戻し再生信号を含む操作信号あるいは早送り再生信号を含む操作信号が入力された場合にはステップＳ１５に進み、巻き戻し再生信号を含む操作信号あるいは早送り再生信号がを含む操作信号入力されていない場合にはステップＳ１６に進む。
ステップＳ１５では、ステップＳ５で設定した識別記憶位置あるいは識別記憶位置に基づいて選択した選択識別記憶位置まで巻き戻し処理あるいは早送り処理を実行し、ステップＳ２に進む。すなわち、処理回路３００は、読出／書込回路２２０が、メモリカード２２０ａの識別記憶位置あるいは選択識別記憶位置に記憶されている音声データを読み出すように、読出／書込回路２２０の読出位置を再生方向あるいは反再生方向に高速移動速度で移動するように制御する。選択識別記憶位置の選択方法については後述する。
ステップＳ１６では、停止信号を含む操作信号が入力されたか否かを（停止ボタン１２２が操作されたか否か）を判断する。停止信号を含む操作信号が入力されていない場合にはステップＳ１に戻り、停止信号を含む操作信号が入力された場合にはステップＳ１７に進む。
ステップＳ１７では、停止処理を実行した後、リターンする。すなわち、処理回路３００は、読出／書込回路２２０が、メモリカード２２０ａからの音声データの読み出しを停止するように制御する。
【００１７】
次に、選択記憶位置を選択する方法、選択識別記憶位置を選択する方法について説明する。
ここで、識別記憶位置を設定する方法としては、一時停止信号を含む操作信号が入力された時点（一時停止操作を行った時点）で読出／書込回路２２０により読み出されている音声データが記憶されているメモリカード２２０ａの記憶位置を識別記憶位置として設定する方法（識別記憶位置設定方法１）と、当該記憶位置に基づいて選択した選択記憶位置を識別記憶位置として設定する方法（識別記憶位置設定方法２）を用いることができる。
（識別記憶位置設定方法１）
この方法は、利用者が一時停止操作を行った時点で読み出されている音声データが記憶されている記憶位置を識別記憶位置として設定するものである。
例えば、外国語の単語や文章の発音練習を行う場合には、利用者は、単語や文章が再生されると一時停止操作を行い、発音練習を行った後、一時停止を解除して次の単語や文章の再生を行う。そして、次の単語や文章がうまく聞き取れない場合には、次の単語や文章の開始箇所（すなわち、前の単語や文章の終了箇所）まで巻き戻し操作を行って、再度再生操作を行う。このように、利用者が一時停止操作を行った時点での記憶位置には、単語や文章の区切り等の何らかの区切り部分が存在している。
したがって、利用者が一時停止操作を行った時点で読み出されている音声データの記憶位置を識別記憶位置として設定することにより、利用者は、どの記憶位置を識別記憶位置として設定するかを意識する必要がなく、また、特別の操作も必要としないで、利用者が識別記憶位置として設定することを希望する記憶位置を識別記憶位置として設定することができる。
【００１８】
また、一時停止信号を含む操作信号が入力された時点で読出／書込回路２２０により読み出されている音声データが記憶されているメモリカード２２０ａの記憶位置に基づいて選択記憶位置を選択する方法としては、例えば、以下の方法を用いることができる。
（識別記憶位置設定方法２−１）
この方法は、利用者が一時停止操作を行った時点から最も短い読出時間で読み出される無音データが記憶されている記憶位置を選択記憶位置として選択し、識別記憶位置として設定する方法である。
例えば、外国語の単語や文章の発音練習を行う場合には、利用者は、単語や文章が再生された後、発音練習を行う。このため、通常、外国語の単語や文章等の音声データを記憶手段に記憶する場合には、単語や文章の間に無音区間が設けられている。
また、利用者は、再生された単語や文章の発音練習を行う場合には、一時停止操作を行い、発音練習を行った後、一時停止操作を解除して次の単語や文章を再生し、再度一時停止操作を行う。そして、うまく聞き取れなかった場合には巻き戻して再生を繰り返す。このため、利用者が一時停止操作を行った記憶位置の前後に、利用者が繰り返し再生を希望する単語や文章が記憶されている可能性が高い。
したがって、利用者が一時停止操作を行った時点から最も短い読出時間で読み出される無音データが記憶されている記憶位置を選択識別位置として選択することにより、利用者は、どの記憶位置を識別記憶位置として設定するかを意識する必要がなく、また、特別の操作も必要としない。さらに、単語や文章が開始箇所から再生されるため、便利である。
なお、無音データが複数の記憶位置に記憶されている場合には、無音データが記憶されている記憶位置のいずれを選択記憶位置として選択してもよいが、次の単語の開始箇所に近い、再生方向後方の記憶位置を選択記憶位置として選択するのが好ましい。この場合には、次の単語や文章が短時間で再生される。
また、利用者が一時停止操作を行った時点から最も短い読出時間で読み出される無音データは、一時停止操作を行った時点で読み出されている音声データの記憶位置から再生方向及び反再生方向のいずれの方向に記憶されているものを選択してもよいが、反再生方向に記憶されている無音データを選択するのが好ましい。
【００１９】
（識別記憶位置設定方法２−２）
この方法は、利用者が一時停止操作を行った時点から設定読出時間だけ離れている時点で読み出される音声データが記憶されている記憶位置を選択記憶位置として選択し、識別記憶位置として設定する方法である。
例えば、外国語の単語や文章の発音練習を行う場合には、利用者は、単語や文章が再生された後、発音練習を行う。すなわち、単語や文章が再生された後、再生された単語や文章の発音練習を行う必要がある場合に一時停止操作を行う。そして、一時停止操作を解除して次の単語や文章を再生した後再度一時停止操作を行い、うまく聞き取れなかった場合には巻き戻して再生操作を繰り返す。このため、利用者が一時停止操作を行った記憶位置の前後に、利用者が繰り返し再生を希望する単語や文章が記憶されている可能性が高い。また、単語や文章等の再生時間は所定の読出時間の範囲内に設定されている。
したがって、利用者が一時停止操作を行った時点から設定読出時間だけ離れている時点で読み出される音声データが記憶されている記憶位置を選択識別位置として選択することにより、利用者は、どの記憶位置を識別記憶位置として設定するかを意識する必要がなく、また、特別の操作も必要としない。この場合、無音データが記憶されている記憶位置で一時停止操作が行われると、前の単語や文章全体の繰り返し再生が行われる。
なお、利用者が一時停止操作を行った時点から設定読出時間だけ離れている記憶位置は、一時停止操作を行った時点で読み出されている音声データが記憶されている記憶位置から再生方向及び反再生方向のいずれの方向であってもよいが、反再生方向の記憶位置を選択するのが好ましい。
【００２０】
（識別記憶位置設定方法２−３）
この方法は、記憶手段に予め既設識別情報が記憶されている場合に利用可能な方法であり、利用者が一時停止操作を行った時点から最も短い読出時間で読み出される既設識別情報が記憶されている記憶位置を選択記憶位置として選択し、識別記憶位置として設定する方法である。
既設識別情報が記憶されている記憶手段では、利用者が繰り返し再生を行う可能性が高い記憶位置（例えば、単語や文章の開始箇所が記憶されている記憶位置）に既設識別情報が記憶されている。
また、前述したように、利用者が一時停止操作を行った記憶位置の前後に、利用者が繰り返し再生を希望する単語や文章が記憶されている可能性が高い
したがって、利用者が一時停止操作を行った時点から最も短い読出時間で読み出される既設識別情報が記憶されている記憶位置を選択識別位置として選択することにより、利用者は、どの記憶位置を識別記憶位置として設定するかを意識する必要がなく、また、特別の操作も必要としない。さらに、既設識別情報が記憶されている記憶位置を識別記憶位置とすることにより、単語や文章の開始箇所から正確に繰り返し再生を行うことができる。
なお、利用者が一時停止操作を行った時点から最も短い読出時間で読み出される既設識別情報は、一時停止操作を行った時点で読み出されている音声データが記憶されている記憶位置から再生方向及び反再生方向のいずれの方向に記憶されているものでもよいが、反再生方向に記憶されている既設識別情報を選択するのが好ましい。
【００２１】
巻き戻し再生信号を含む操作信号が入力された時点（巻き戻し再生操作が行われた時点）あるいは早送り再生操作信号を含む操作信号が入力された時点（早送り再生操作が行われた時点）に読出／書込回路２２０による読み出し位置（繰返し再生記憶位置）を設定する方法としては、識別記憶位置を繰返し再生記憶位置として設定する方法（繰返し再生記憶位置設定方法１）と、識別記憶位置に基づいて選択した選択記憶識別位置を繰返し再生記憶位置として設定する方法（繰返し再生記憶位置設定方法２）を用いることができる。なお、繰返し再生記憶位置設定方法２は、識別記憶位置設定方法１と組み合わせて用いられる。
（繰返し再生記憶位置決定方法１）
この方法は、利用者が一時停止操作を行った時点に設定された識別記憶位置を繰り返し再生記憶位置として設定する方法である。
例えば、前述したように、利用者が一時停止操作を行った場合、一時停止操作を行った記憶位置に、単語や文章の区切り等の何らかの区切り部分が存在している。
したがって、一時停止操作を行った時点で読み出されている音声データの記憶位置を繰返し再生記憶位置として設定することにより、利用者は、どの記憶位置を識別記憶位置として設定するかを意識する必要がなく、また、特別の操作も必要としない。
【００２２】
また、一時停止信号が入力された時点で読出／書込回路２２０により読み出されている音声データが記憶されているメモリカード２２０ａの記憶位置を識別記憶位置として設定し、この識別記憶位置に基づいて選択記憶識別位置を選択する方法としては、例えば、以下の方法を用いることができる。
（繰り返し再生記憶位置設定方法２−１）
この方法は、識別記憶位置として設定されている、利用者が一時停止操作を行った時点で読み出されている音声データが記憶されている記憶位置から最も短い読出時間で読み出される無音データが記憶されている記憶位置を選択識別記憶位置として選択し、繰り返し再生記憶位置として設定する方法である。
この方法を用いることにより、（識別記憶位置設定方法１−１）と同様の効果を有する。（繰り返し再生記憶位置設定方法２−２）
この方法は、識別記憶位置として設定されている、利用者が一時停止操作を行った時点から設定読出時間だけ離れている時点で読み出される音声データが記憶されている記憶位置を選択識別記憶位置として選択し、繰り返し再生記憶位置として設定する方法である。
この方法を用いることにより、（識別記憶位置設定方法１−２）と同様の効果を有する。  
（繰り返し再生記憶位置設定方法２−３）
この方法は、記憶手段に予め既設識別情報が記憶されている場合に利用可能な方法であり、識別記憶位置として設定されている、利用者が一時停止操作を行った時点から最も短い読出時間で読み出される既設識別情報が記憶されている記憶位置を選択識別記憶位置として選択し、繰り返し再生記憶位置として設定する方法である。
この方法を用いることにより、（識別記憶位置設定方法２−３）と同様の効果を有する。
【００２３】
以下に、各識別記憶位置設定方法及び各繰り返し再生記憶位置設定方法を用いた場合の具体的な動作を、図４〜図１０を用いて説明する。なお、各図には、メモリカード２２０ａの各アドレスに記憶されている音声データ、操作部の操作状態、一時停止操作が行われた時の識別記憶位置の設定内容、巻き戻し再生操作が行われた時に巻き戻される記憶位置を示している。
図４は、（識別記憶位置設定方法１）と（繰り返し再生記憶位置設定方法１）を用いた第１の実施の形態の動作を説明する図である。
段階(1)で、再生操作が行われる。
段階(2)では、メモリカード２２０ａに記憶されているデータＡが、アドレス（記憶位置）Ａｍから順に読み出される。
アドレスＸａの無音データが読み出されている段階(3)において一時停止操作が行われると、メモリカード２２０ａからの音声データの読み出しが一時停止される。この時、一時停止操作が行われた時点で読み出されている無音データが記憶されているアドレスＡａが識別記憶位置として設定されている。例えば、図４に示すように、メモリカード２２０ａのアドレスＸａに識別情報が書き込まれる。なお、この場合、無音データと識別情報が干渉しない方法で識別情報が書き込まれる。
次に、段階(4)において再生操作が行われると、メモリカード２２０ａのアドレスＸａに記憶されている音声データ（この場合、無音データ）の読み出しが再開される。
段階(5)では、データＢが読み出される。
そして、無音データが読み出されている段階(6)で巻き戻し再生操作が行われると、巻き戻し再生が行われる。すなわち、段階(７)において、段階(3)で設定した識別記憶位置（メモリカード２２０ａに識別情報が記憶されているアドレスＸａ）まで巻き戻される。そして、段階(8)において、メモリカード２２０ａのアドレスＸａに記憶されている無音データの読み出しが開始される。この場合、データＢ、データＣが続けて読み出される。
【００２４】
図５は、（識別記憶位置設定方法２−１）と（繰り返し再生記憶位置設定方法１）を用いた第２の実施の形態の動作を説明する図である。
段階(1)で、再生操作が行われる。
段階(2)では、メモリカード２２０ａに記憶されているデータＡが、アドレスＡｍから順に読み出される。
アドレスＢａのデータＢが読み出されている段階(3)において一時停止操作が行われると、メモリカード２２０ａからの音声データＢの読み出しが一時停止される。この時、一時停止操作が行われた時点から、最も短い読出時間間隔で読み出される無音データが記憶されているアドレスが識別記憶位置として設定される。図５では、無音データの開始箇所のアドレスＸｍが識別記憶位置として設定され、メモリカード２２０ａのアドレスＸｍに識別情報が書き込まれる。
なお、巻き戻し再生操作が行われた時には、一時停止操作が行われた時に読み出されていた音声データの記憶位置から巻き戻し方向（反再生方向）の無音データの記憶位置を識別記憶位置として設定し、早送り再生操作が行われた時には、一時停止操作が行われた時に読み出されていた音声データの記憶位置から早送り方向（再生方向）の無音データの記憶位置を識別記憶位置として設定するのが好ましい。
次に、段階(4)において再生操作が行われると、段階(5)で、メモリカード２２０ａのアドレスＢａに記憶されている音声データＢの読み出しが再開される。
そして、無音データが読み出されている段階(6)で巻き戻し再生操作が行われると、巻き戻し再生が行われる。すなわち、段階(7)において、段階(3)で設定した識別記憶位置（メモリカード２２０ａに識別情報が記憶されているアドレスＸｍ）まで巻き戻される。そして、段階(8)において、メモリカード２２０ａのアドレスＸｍに記憶されている無音データの読み出しが開始される。この場合、データＢ、データＣが続けて読み出される。
【００２５】
図６は、（識別記憶位置設定方法２−２）と（繰り返し再生記憶位置設定方法１）を用いた第３の実施の形態の動作を説明する図である。
段階(1)で、再生操作が行われる。
段階(2)では、メモリカード２２０ａに記憶されているデータＡ、無音データ、データＢが順に読み出される。
アドレスＹａの無音データが読み出されている段階(3)において一時停止操作が行われると、メモリカード２２０ａからの音声データの読み出しが一時停止される。この時、一時停止操作が行われた時点から設定読出時間Ｈだけずれて読み出される音声データが記憶されているアドレスが識別記憶位置として設定される。図６では、一時停止操作が行われた時点で読み出されていた無音データが記憶されているアドレスＹａから設定読出時間Ｔだけ離れているアドレスＸａが識別記憶位置として設定され、メモリカード２２０ａのアドレスＸａに識別情報が書き込まれる。
次に、段階(4)において再生操作が行われると、段階(5)で、メモリカード２２０ａのアドレスＹａに記憶されている無音データの読み出しが再開される。
そして、無音データが読み出されている段階(6)で巻き戻し再生操作が行われると、巻き戻し再生が行われる。すなわち、段階(7)において、段階(3)で設定した識別記憶位置（メモリカード２２０ａに識別情報が記憶されているアドレスＸａ）まで巻き戻される。そして、段階(8)において、メモリカード２２０ａのアドレスＸａに記憶されている無音データの読み出しが開始される。この場合、データＢ、データＣが続けて読み出される。
【００２６】
図７は、（識別記憶位置設定方法２−３）と（繰り返し再生記憶位置設定方法１）を用いた第４の実施の形態の動作を説明する図である。
段階(1)で、再生操作が行われる。
段階(2)では、メモリカード２２０ａに記憶されているデータＡが、データＢが順に読み出される。
アドレスＣａのデータＣが読み出されている段階(3)において一時停止操作が行われると、メモリカード２２０ａからのデータＣの読み出しが一時停止される。この時、一時停止操作が行われた時点から、最も短い読出時間間隔で読み出される既設識別情報が記憶されているアドレスが識別記憶位置として設定される。図７では、一時停止操作が行われた時点で読み出されているデータＣのアドレスＣａから最も短い読出時間間隔で読み出される既設識別情報としてアドレスＹｎに記憶されている既設識別情報が選択され、選択した既設識別情報が記憶されている記憶位置の前方（先に読み出される側）のアドレスＹａに識別情報が書き込まれる。
次に、段階(4)において再生操作が行われると、段階(5)で、メモリカード２２０ａのアドレスＣａに記憶されている音声データＣの読み出しが再開される。
そして、無音データが読み出されている段階(6)で巻き戻し再生操作が行われると、巻き戻し再生が行われる。すなわち、段階(7)において、段階(3)で設定した識別記憶位置（メモリカード２２０ａに識別情報が記憶されているアドレスＹａ）まで巻き戻される。そして、段階(8)において、メモリカード２２０ａのアドレスＹａに記憶されている無音データの読み出しが開始される。この場合、データＣが続けて読み出される。
【００２７】
図８は、（識別記憶位置設定方法１）と（繰り返し再生記憶位置設定方法２−１）を用いた第５の実施の形態の動作を説明する図である。
段階(1)で、再生操作が行われる。
段階(2)では、メモリカード２２０ａに記憶されているデータＡ、データＢが順に読み出される。
アドレスＢａのデータＢが読み出されている段階(3)において一時停止操作が行われると、メモリカード２２０ａからのデータＢの読み出しが一時停止される。この時、一時停止操作が行われた時に読み出されているデータＢのアドレスＢａが識別記憶位置として設定される。図８では、メモリカード２２０ａのアドレスＢａに識別情報が記憶される。
次に、段階(4)において再生操作が行われると、段階(5)で、メモリカード２２０ａのアドレスＢａに記憶されている音声データＢの読み出しが再開される。
無音データが読み出されている段階(6)で巻き戻し再生操作が行われると、巻き戻し再生が行われる。すなわち、段階(3)で設定した識別記憶位置（メモリカード２２０ａに識別情報が記憶されているアドレスＢａ）から最も短い読出時間間隔で読み出される無音データが記憶されている記憶位置が選択記憶識別位置として設定される。図８では、メモリカード２２０ａのアドレスＢａから最も短い読出時間間隔で読み出される無音データの開始箇所のアドレスＸｍが選択識別記憶位置として設定されている。そして、段階(7)において、メモリカード２２０ａの読み出し位置がアドレスＸｍまで巻き戻される。
次に、段階(8)において、メモリカード２２０ａのアドレスＸｍに記憶されている無音データの読み出しが開始される。この場合、データＢ、データＣが続けて読み出される。
【００２８】
図９は、（識別記憶位置決定方法１）と（繰り返し再生記憶位置決定方法２−２）を用いた第６の実施の形態の動作を説明する図である。
段階(1)で、再生操作が行われる。
段階(2)では、メモリカード２２０ａに記憶されているデータＡ、データＢが順に読み出される。
アドレスＢａのデータＢが読み出されている段階(3)において一時停止操作が行われると、メモリカード２２０ａからのデータＢの読み出しが一時停止される。この時、一時停止操作が行われた時に読み出されているデータＢのアドレスＢａが識別記憶位置として設定される。図９では、メモリカード２２０ａのアドレスＢａに識別情報が記憶される。
次に、段階(4)において再生操作が行われると、段階(5)で、メモリカード２２０ａのアドレスＢａに記憶されているデータＢの読み出しが再開される。
無音データが読み出されている段階(6)で巻き戻し再生操作が行われると、巻き戻し再生が行われる。すなわち、段階(3)で設定した識別記憶位置（メモリカード２２０ａに識別情報が記憶されているアドレスＢａ）から設定読出時間ｈだけずれて読み出されるデータが記憶されている記憶位置が選択識別記憶位置として設定される。図９では、メモリカード２２０ａのアドレスＢａから設定読出時間ｈだけずれて読み出される無音データが記憶されているアドレスＸａが選択識別記憶位置として設定されている。そして、段階(7)において、メモリカード２２０ａの読み出し位置がアドレスＸａまで巻き戻される。
次に、段階(8)において、メモリカード２２０ａのアドレスＸａに記憶されている無音データの読み出しが開始される。この場合、データＢ、データＣが続けて読み出される。
【００２９】
図１０は、（識別記憶位置設定方法１）と（繰り返し再生記憶位置設定方法２−３）を用いた第７の実施の形態の動作を説明する図である。
段階(1)で、再生操作が行われる。
段階(2)では、メモリカード２２０ａに記憶されているデータＡ、データＢ、データＣが順に読み出される。
アドレスＣａのデータＣが読み出されている段階(3)において一時停止操作が行われると、メモリカード２２０ａからのデータＣの読み出しが一時停止される。この時、一時停止操作が行われた時に読み出されているデータＣのアドレスＣａが識別記憶位置として設定される。図１０では、メモリカード２２０ａのアドレスＣａに識別情報が記憶される。
次に、段階(4)において再生操作が行われると、段階(5)で、メモリカード２２０ａのアドレスＣａに記憶されているデータＣの読み出しが再開される。
無音データが読み出されている段階(6)で巻き戻し再生操作が行われると、巻き戻し再生が行われる。すなわち、段階(3)で設定した識別記憶位置（メモリカード２２０ａに識別情報が記憶されているアドレスＣａ）から最も短い読出時間間隔で読み出される既設識別情報が記憶されている記憶位置が選択識別位置として設定される。図１０では、メモリカード２２０ａのアドレスＣａから最も短い読出時間間隔で読み出される既設識別情報が記憶されているアドレスＹｎが選択識別記憶位置として設定される。そして、段階(7)において、メモリカード２２０ａの読み出し位置がアドレスＹｎまで巻き戻される。
次に、段階(８)において、メモリカード２２０ａのアドレスＹｎに記憶されている無音データの読み出しが開始される。この場合、データＣが続けて読み出される。
【００３０】
以上では、所定の操作が行われた１つの記憶位置あるいは記憶位置に基づいて選択した１つの選択記憶位置を識別記憶位置として設定したが、複数の記憶位置あるいは複数の記憶位置それぞれに基づいて選択した複数の選択記憶位置を識別記憶位置として設定することもできる。
複数の識別記憶位置を設定する第８の実施の形態の動作を、図１１により説明する。
本実施の形態では、巻き戻し再生操作が行われまでに複数回一時停止操作が行われている場合には、巻き戻し再生が行われると、巻き戻し再生が行われた時点から直近の設定数の、巻き戻し再生が行われた時点で読み出されているデータが記憶されている記憶位置を識別記憶位置として設定する。
図１１は、（識別記憶位置設定方法１）と（繰り返し再生記憶位置設定方法１）を用いた場合の動作を説明する図である。
段階(1)で、再生操作が行われる。
段階(2)では、メモリカード２２０ａに記憶されているデータＡが読み出される。
アドレスＸａの無音データが読み出されている段階(3)で一時停止操作が行われると、メモリカード２２０ａからの無音データの読み出しが一時停止する。この時、一時停止操作が行われた時に読み出されている無音データのアドレスＸａが識別記憶位置として仮設定される。図１１では、メモリカード２２０ａのアドレスＸａに識別情報が記憶される。
次に、段階(4)において再生操作が行われると、段階(5)で、メモリカード２２０ａのアドレスＸａに記憶されている無音データの読み出しが再開される。
また、アドレスＹａの無音データが読み出されている段階(6)で一時停止操作が行われると、メモリカード２２０ａからの無音データの読み出しが一時停止する。この時、一時停止操作が行われた時に読み出されている無音データのアドレスＹａが識別記憶位置として仮設定される。図１１では、メモリカード２２０ａのアドレスＹａに識別情報が記憶される。
次に、段階(7)において、再生操作が行われると、段階(8)で、メモリカード２２０ａのアドレスＹａに記憶されている無音データの読み出しが再開される。
無音データが読み出されている段階(9)で巻き戻し再生操作が行われると、巻き戻し再生が行われる。すなわち、巻き戻し再生操作が行われる時点までに仮設定されている識別記憶位置の数が設置数以内であるか否かを判断し、設定数を超えている場合には、越えている仮設定の識別記憶位置を消去する。なお、各一時停止操作が行われた時点のアドレスを記憶しておき、巻き戻し再生操作が行われた時に、直近の設定数以内のアドレスを識別記憶位置として設定するように構成することもできる。この場合、図１１に示すように、メモリカード２２０ａのアドレスＸａ及びＹａに記憶されている識別情報の数が［２］であり、設定数［３］以下であるため、本設定される。そして、段階(10)において、メモリカード２２０ａの読み出し位置が、巻き戻し操作が行われた時点から直近のアドレスＹａまで巻き戻される。
次に、段階(11)において、メモリカード２２０ａのアドレスＹａに記憶されている無音データの読み出しが開始される。この場合、データＣが続けて読み出される。
なお、この時、利用者が、再度巻き戻し再生操作を行うと、識別記憶位置として設定されている次のアドレスＸａまで巻き戻される。
本実施の形態では、利用者は、巻き戻し再生記憶位置を複数の識別記憶位置から選択することができるため、便利である。
複数の識別記憶位置を記憶する時期は、巻き戻し再生操作が行われた時点に限定されず、所定の再生関連操作あるいは所定の再生関連操作の組み合わせが行われた時点を用いることができる。
【００３１】
以上のように、本発明は、再生時に、再生時に通常行われる再生関連操作の中の所定の再生関連操作あるいは所定の再生関連操作の組み合わせが実行された場合に識別記憶位置を設定するように構成されている。このため、利用者は、どの記憶位置を識別記憶位置として設定するか等を考慮する必要がなく、また、特定の操作を行う必要もない。したがって、利用者は再生信号の確認に集中することができる
【００３２】
本発明は、実施の形態で説明した構成に限定されず、種々の変更、追加、削除が可能である。
例えば、識別記憶位置を設定する条件である、再生時における所定の再生関連操作として一時停止操作を用いたが、所定の再生関連操作は、これに限定されず、早送り操作や巻き戻し操作等を用いることもできる。また、複数の所定の再生関連操作の組み合わせを用いることもできる。例えば、一時停止操作と巻き戻し再生操作の組み合わせを識別記憶位置を設定する条件として用いることができる。この場合には、巻き戻し操作が行われた時点で、識別記憶位置の設定を行う。
また、巻き戻し再生操作が行われた時には、反再生方向側に直近の無音データの記憶位置あるいは設定読出時間だけずれた記憶位置あるいは直近の既設識別情報の記憶位置を選択識別記憶位置あるいは巻き戻し再生記憶位置として設定し、一方、早送り再生操作が行われた時には、再生方向側に直近の無音データの記憶位置あるいは設定読出時間だけずれた記憶位置あるいは直近の既設識別情報の記憶位置を選択識別記憶位置あるいは巻き戻し再生記憶位置として設定したが、再生方向及び反再生方向に関係なく直近の無音データの記憶位置あるいは設定読出時間だけずれた記憶位置あるいは直近の既設識別情報の記憶位置を選択識別記憶位置あるいは巻き戻し再生記憶位置として設定することもできる。この場合には、１つの高速移動再生ボタン（例えば、巻き戻し再生ボタン）を設けることができる。
また、巻き戻し再生操作（巻き戻し再生信号を含む操作信号が入力された時）あるいは早送り再生操作が行われた時（早送り再生信号を含む操作信号が入力された時）に、識別記憶位置が設定されていれば、識別記憶位置あるいは選択識別記憶位置から再生を行うよう構成したが、巻き戻し操作が行われた時（巻き戻し信号を含む操作信号が入力された時）あるいは早送り操作が行われた時（早送り信号を含む操作信号が入力された時）に、識別記憶位置が設定されていれば、識別記憶位置あるいは選択識別記憶位置から再生を行うよう構成することもできる。この場合には、巻き戻し再生ボタン及び早送り再生ボタンを省略することができる。また、巻き戻し操作あるいは早送り操作が行われた時、識別記憶位置が設定されていれば識別記憶位置あるいは選択識別記憶位置から再生を行い、識別記憶位置が設定されていなければ、通常の巻き戻しあるいは早送りを行う。
また、設定した識別記憶位置、例えば、識別記憶位置に書き込んだ識別情報は、削除操作が行われるまで保持してもよいし、音声データを再生する毎に削除するように構成してもよい。例えば、メモリカード２２０ａがカード挿入口から抜かれると識別情報を削除し、あるいは、録音再生装置１００の電源が切断されると識別情報を削除するように構成することができる。
また、録音機能と再生機能を有する録音再生装置について説明したが、本発明は、再生機能のみを有する再生装置として構成することもできる。
【図面の簡単な説明】
【００３３】
【図１】本発明を録音再生装置として構成した一実施の形態の概略図である。
【図２】一実施の形態の電気回路構成の概略ブロック図である。
【図３】一実施の形態の再生時の動作を説明するフローチャート図である。
【図４】識別記憶位置の設定動作及び高速移動再生動作の第１の実施の形態を説明する図である。
【図５】識別記憶位置の設定動作及び高速移動再生動作の第２の実施の形態を説明する図である。
【図６】識別記憶位置の設定動作及び高速移動再生動作の第３の実施の形態を説明する図である。
【図７】識別記憶位置の設定動作及び高速移動再生動作の第４の実施の形態を説明する図である。
【図８】識別記憶位置の設定動作及び高速移動再生動作の第５の実施の形態を説明する図である。
【図９】識別記憶位置の設定動作及び高速移動再生動作の第６の実施の形態を説明する図である。
【図１０】識別記憶位置の設定動作及び高速移動再生動作の第７の実施の形態を説明する図である。
【図１１】識別記憶位置の設定動作及び高速移動再生動作の第８の実施の形態を説明する図である。
【符号の説明】
【００３４】
１００  録音再生装置
１１０  表示装置
１２１  再生／停止ボタン
１２２  早送りボタン
１２３  巻戻しボタン
１２４  一時停止ボタン
１２５  早送り再生ボタン
１２６  巻戻し再生ボタン
１２７  録音ボタン
１２８  ボリュームボタン
１３０  スピーカ
１４０  マイク
１５０  イヤホン端子
１６０  メモリカード挿入口
１７０  ＵＳＢ端子
２００  バス
２１０  操作信号入力回路
２２０、２５０  読出／書込回路
２２０ａ  メモリカード（記憶手段）
２３０  受信回路
２５０ａ  記憶回路（記憶手段）
３００  処理回路（ＣＰＵ）
【図１】
2006208866.tif 000003
【図２】
2006208866.tif 000004
【図３】
2006208866.tif 000005
【図４】
2006208866.tif 000006
【図５】
2006208866.tif 000007
【図６】
2006208866.tif 000008
【図７】
2006208866.tif 000009
【図８】
2006208866.tif 000010
【図９】
2006208866.tif 000011
【図１０】
2006208866.tif 000012
【図１１】
2006208866.tif 000013